(57)【要約】      （修正有）【課題】収納及び整理しやすいマスクを提供する。【解決手段】マスクは本体１と、本体１に接続された固定紐２とを含み、固定紐２は折り畳み式であり、使用しない時は折り畳まれた状態であり、縁部のホットメルトによって固定して折り畳まれる。折り畳み式の固定紐２の設計で、マスクを使用しない時は固定紐２は全体の長さが短縮され、マスクの本体１に収められる。従来のマスクと比べて、マスクの構造がよりコンパクトで、固定紐２が物体に引っかかったり引っ張られたりしにくいため、マスクを整理及び収納しやすくなる。弾力性の不織布の固定紐２を使用するため、柔軟、軽量、高弾性という特徴を備える。また、固定紐２の幅を広げたため、マスクの着用時の快適性が向上し、着用時の耳部の不快感が緩和され、耳部を保護する効果を得る。マスク本体１の中部に設けられた第２形状保持テープはマスク本体１が起き上がると支持体としての役割を果たし、安定的な空間が形成されるため、呼吸がしやすい。【選択図】図２
0003231882.tif 000002
【実用新案登録請求の範囲】
【請求項１】
本体（１）と、本体（１）に接続された固定紐（２）とを含み、前記固定紐（２）は折り畳み式であり、使用しない時は、前記固定紐（２）は折り畳まれた状態であり、縁部のホットメルトによって固定して折り畳まれることを特徴とする使いやすいマスク。
【請求項２】
第１形状保持テープ（３）と、第２形状保持テープ（４）とをさらに含み、前記第１形状保持テープ（３）は本体（１）の上側に設けられ、前記第２形状保持テープ（４）は本体（１）の中部に設けられることを特徴とする請求項１に記載の使いやすいマスク。
【請求項３】
固定紐（２）は弾力性の不織布テープであり、両端に位置する２つの第１パーツ（２１）と、中部に位置する第３パーツ（２３）と、第１パーツ（２１）と第３パーツ（２３）との間に位置する２つの第２パーツ（２２）とを含み、
前記固定紐（２）が折り畳まれた時、前記第２パーツ（２２）の内面は対応する第１パーツ（２１）の内面に密着され、第２パーツ（２２）の外面は第３パーツ（２３）の外面に密着され、
前記固定紐（２）の幅は０．５ｃｍより大きいことを特徴とする請求項１又は２に記載の使いやすいマスク。
【請求項４】
前記第２パーツ（２２）の外面で第１パーツ（２１）に近い場所に第１接続構造（２４１）が設けられ、前記第３パーツ（２３）の外面には第１接続構造（２４１）に接続可能な第２接続構造（２４２）が設けられることを特徴とする請求項３に記載の使いやすいマスク。
【請求項５】
前記第１パーツ（２１）の自由端が本体（１）に接続されて接続領域（２１１）が形成され、前記第１パーツ（２１）には弾力性接続層（２５）がさらに設けられ、前記弾力性接続層（２５）は接続領域（２１１）に延伸していることを特徴とする請求項３に記載の使いやすいマスク。
【請求項６】
前記第１パーツ（２１）の外面に第３接続構造（２６１）が設けられ、前記第３接続構造（２６１）は弾力性接続層（２５）の近くに位置し、前記接続領域（２１１）の外面には第３接続構造（２６１）に係合する第４接続構造（２６２）が設けられることを特徴とする請求項５に記載の使いやすいマスク。
【請求項７】
前記固定紐（２）の外面には弾性テープ（２７）がさらに設けられることを特徴とする請求項３に記載の使いやすいマスク。
【請求項８】
前記本体（１）は伝音用にその中部に設けられる無孔構造領域（１１）と、通気用に前記無孔構造領域（１１）の周囲に設けられる多孔構造領域（１２）とを含むことを特徴とする請求項１又は２に記載の使いやすいマスク。
【請求項９】
前記無孔構造領域（１１）は封止下の不織布のホットメルトによって形成され、前記多孔構造領域（１２）は多層の布構造であり、最も外側に位置する外不織布層（１２１）と、最も内側に位置する内不織布層（１２４）と、間隔を開けて両者の間に設けられる複数層のポリプロピレンフィルム（１２２）及び複数層のメルトブローン不織布層（１２３）とを含み、前記ポリプロピレンフィルム（１２２）は熱間押出によって成形され、その上に複数の貫通孔（１２２１）が開設され、隣接する２つのポリプロピレンフィルム（１２２）では貫通孔（１２２１）が互い違いに設けられることを特徴とする請求項８に記載の使いやすいマスク。
【請求項１０】
前記多孔構造領域（１２）内には相転移材料綿布層（１２５）及び抑菌綿布層（１２６）がさらに設けられることを特徴とする請求項９に記載の使いやすいマスク。
【考案の詳細な説明】
【技術分野】
【０００１】
本考案は、マスクの分野に関し、特に使いやすいマスクに関する。
【背景技術】
【０００２】
マスクは一般にガーゼ、不織布、紙などで作られる。着用しやすくするために、マスクの両側に固定紐を設けるのが一般的である。
【０００３】
関連技術では、着用しやすくするために、マスクの固定紐が一般にマスクの本体の側縁より長いため、固定紐がマスク本体から浮いている。浮いた固定紐が原因でマスクが傷つくことや紛失されることがよくある。また、固定紐がマスク本体から浮くことで、マスクを収納及び整理しにくい。
【０００４】
前記関連技術の記載から分かるように、従来のマスクでは固定紐がマスク本体から浮くため、収納及び整理しにくいことが欠点である。
【考案の概要】
【考案が解決しようとする課題】
【０００５】
本考案は、関連技術の欠点に対して、マスクを収納及び整理しやすいように、使いやすいマスクを提供する。
【課題を解決するための手段】
【０００６】
本考案の使いやすいマスクには、下記の技術的解決手段が用いられる。
【０００７】
使いやすいマスクであって、本体と、本体に接続された固定紐とを含み、前記固定紐は折り畳み式であり、使用しない時は、前記固定紐は折り畳まれた状態であり、縁部のホットメルトによって固定して折り畳まれる。
【０００８】
前記技術的解決手段を用いると、マスクを使用しない時は固定紐は全体の長さが短縮され、本体に収められる。本考案の設計は、従来のマスクと比べて、マスクの構造がよりコンパクトで、固定紐が物体に引っかかったり引っ張られたりしにくいため、マスクを整理及び収納しやすくなる。
【０００９】
任意選択で、第１形状保持テープと、第２形状保持テープとをさらに含み、前記第１形状保持テープは本体の上側に設けられ、前記第２形状保持テープは本体の中部に設けられる。
【００１０】
前記技術的解決手段を用いると、第１形状保持テープはノーズフィットとしての役割を果たし、第２形状保持テープはマスク本体が起き上がると支持体としての役割を果たし、このようにしてマスクと口、鼻との間に安定的な空間が形成されるため、呼吸がしやすい。
【００１１】
任意選択で、固定紐は弾力性の不織布テープであり、両端に位置する２つの第１パーツと、中部に位置する第３パーツと、第１パーツと第３パーツとの間に位置する２つの第２パーツとを含む。
【００１２】
前記固定紐が折り畳まれた時、前記第２パーツの内面は対応する第１パーツの内面に密着され、第２パーツの外面は第３パーツの外面に密着される。
前記固定紐の幅は０．５ｃｍより大きい。
【００１３】
前記技術的解決手段を用いると、弾力性の不織布の固定紐を使用するため、柔軟、軽量、高弾性という特徴を備える。また、固定紐の幅を広げたため、マスクの着用時の快適性が向上し、着用時の耳部の不快感が緩和され、耳部を保護する効果を得る。
【００１４】
任意選択で、前記第２パーツの外面で第１パーツに近い場所に第１接続構造が設けられ、前記第３パーツの外面には第１接続構造に接続可能な第２接続構造が設けられる。
【００１５】
前記技術的解決手段を用いると、第１接続構造と第２接続構造を接続させることで、固定紐がより安定的に折り畳まれる。また、第１接続構造と第２接続構造を接続させると、直線状に引き伸ばした固定紐が再び折り畳まれた状態に戻るため、繰り返し使用が可能である。
【００１６】
任意選択で、前記第１パーツの自由端が本体に接続されて接続領域が形成され、前記第１パーツには弾力性接続層がさらに設けられ、前記弾力性接続層は接続領域に延伸している。
【００１７】
前記技術的解決手段を用いると、弾力性接続層を設けることで引張力を分散し、応力の集中を緩和し、固定紐の破断の可能性を低減することができる。
【００１８】
任意選択で、前記第１パーツの外面に第３接続構造が設けられ、前記第３接続構造は弾力性接続層の近くに位置し、前記接続領域の外面には第３接続構造に係合する第４接続構造が設けられる。
【００１９】
前記技術的解決手段を用いると、接続領域で固定紐と第１パーツが接続する場所が破断した場合に、第３接続構造と第４接続構造を接続させれば、両者の接続が直るため、その場しのぎの対応として、マスクを一時的に使用することができる。
【００２０】
任意選択で、前記固定紐の外面には弾性テープがさらに設けられる。
【００２１】
前記技術的解決手段を用いると、固定紐の引張強度が向上する。
【００２２】
任意選択で、前記本体は、伝音用にその中部に設けられる無孔構造領域と、通気用に前記無孔構造領域の周囲に設けられる多孔構造領域とを含む。
【００２３】
前記技術的解決手段を用いると、マスクの吸音で利用者の声が小さくなる欠点は緩和される。
【００２４】
任意選択で、前記無孔構造領域は封止下の不織布のホットメルトによって形成され、前記多孔構造領域は多層の布構造であり、最も外側に位置する外不織布層と、最も内側に位置する内不織布層と、間隔を開けて両者の間に設けられる複数層のポリプロピレンフィルム及び複数層のメルトブローン不織布層とを含む。前記ポリプロピレンフィルムは熱間押出によって成形され、その上に複数の貫通孔が開設され、隣接する２つのポリプロピレンフィルムでは貫通孔が互い違いに設けられる。
【００２５】
前記技術的解決手段を用いると、無孔構造領域の細孔を閉めると、音を吸収する細孔がないため、より効果的に伝音できる。また、プロピレンフィルム及びメルトブローン不織布層を設けることで空気の移動経路が長くなり、空気とメルトブローン不織布層との接触が増えることで、メルトブローン不織布層による空気中の汚染物質の濾過効果が向上する。空気が貫通孔を通る時に圧縮され、メルトブローン不織布層に入った後、空気が膨張するため、圧縮と膨張の繰り返しによって汚染物質が空気から分離しやすくなる。不織布等の人体と環境に害のない素材を使用するため、環境への一層の配慮がなされる。
【００２６】
任意選択で、前記多孔構造領域内には相転移材料綿布層及び抑菌綿布層がさらに設けられる。
【００２７】
前記技術的解決手段を用いると、マスクに保温及び抑菌機能が付与される。
【考案の効果】
【００２８】
上述した内容から分かるように、本考案は少なくとも次のいずれかの有益な効果を有する。
【００２９】
１．本考案の折り畳み式の固定紐の設計で、マスクを使用しない時は固定紐は全体の長さが短縮され、本体に収められる。マスクの構造がよりコンパクトで、固定紐が物体に引っかかったり引っ張られたりしにくいため、マスクを整理及び収納しやすくなる。
２．本考案で固定紐が弾力性不織布からなるため、柔軟、軽量、高弾性という特徴を備える。また、固定紐の幅を広げたため、マスクの着用時の快適性が向上し、着用時の耳部の不快感が緩和され、耳部を保護する効果を得る。
３．本考案で第１形状保持テープはノーズフィットとしての役割を果たし、第２形状保持テープはマスク本体が起き上がると支持体としての役割を果たし、このようにしてマスクと口、鼻との間に安定的な空間が形成されるため、呼吸がしやすい。
４．本考案のマスクは不織布等の人体と環境に害のない素材を使用するため、一層の環境配慮がなされ、安全性が高められ、一層無毒で無害になる。
５．本考案で第１接続構造及び第２接続構造を設けると、固定紐がより安定的に折り畳まれる。また、直線状に引き伸ばした固定紐を再び折り畳まれた状態に戻せるため、繰り返し使用が可能である。
６．本考案で弾力性接続層を設けると引張力を分散し、応力の集中を緩和し、固定紐の破断の可能性を低減することができる。
７．本考案で第３接続構造及び第４接続構造を設けると、接続領域で固定紐と第１パーツが接続する場所が破断した場合に、接続を直せるため、その場しのぎの対応として、マスクを一時的に使用することができる。
８．本考案で弾性テープを設けると、固定紐の引張強度が向上する。
９．本考案で無孔構造領域は封止下の不織布のホットメルトによって形成される。音を吸収する細孔がないため、より効果的に伝音でき、マスクの吸音で利用者の声が小さくなる欠点は緩和される。
１０．本考案でプロピレンフィルム及びメルトブローン不織布層を設けると、空気とメルトブローン不織布層との接触が増え、メルトブローン不織布層による空気中の汚染物質の濾過効果が向上する。また、空気の圧縮と膨張の繰り返しによって汚染物質が空気から分離しやすくなる。
１１．本考案で相転移材料綿布層及び抑菌綿布層を設けると、マスクに保温及び抑菌機能が付与される。
【図面の簡単な説明】
【００３０】
【図１】図１は本考案の一実施例によるマスクの使用時の立体的な模式図である。
【図２】図２は本考案の一実施例によるマスクの不使用時の立体的な模式図である。
【図３】図３は本考案の一実施例の固定紐の折り畳みの模式図である。
【図４】図４は図２のＡ箇所の拡大図である。
【図５】図５は本考案の一実施例の多孔構造領域の断面模式図である。
【考案を実施するための形態】
【００３１】
次に、図面と実施例を参照して、本考案を詳細に説明する。
従来のマスクは固定紐が一般にマスク本体の側縁より長く、外部に浮いた固定紐が物体に引っかかりやすいため、マスクが傷つくことや紛失されることがよくある。また、固定紐の存在でマスクの全体がまとまらず、マスクの収納、整理及び保管に支障をきたす。従来のマスクは固定紐が細く、しかも硬い素材を使用するため、着用時に耳部に不快感があるのが問題である。着用している間にマスク本体が使用者の口と鼻に非常に近いため、着用中に呼吸しにくいこともある。
【００３２】
本考案者が上述した問題に鑑みて、固定紐を折り畳んで固定できるように設計し、使用しない時は固定紐がマスク本体に収められるため、マスクを収納及び整理しやすくなる。また、固定紐の素材には弾力性不織布が用いれ、幅を広げたため、耳部の不快感が緩和される。また、マスク本体の中部に設けられた第２形状保持テープが、マスク本体が起き上がると支持体としての役割を果たし、このようにしてマスクと口、鼻との間に安定的な空間が形成されるため、呼吸がしやすい。
【００３３】
（実施例）
図１、図２が参照されるとおり、本考案の使いやすいマスクは、本体１と、固定紐２と、第１形状保持テープ３と、第２形状保持テープ４とを含む。いくつかの実施形態では、本体１は長方形であり、２つの長辺は水平に設けられ、２つの短辺は垂直に設けられる。固定紐２は弾力性不織布からなり、幅は１〜３ｃｍであり、例えば、１．５ｃｍ、２ｃｍ、２．５ｃｍ等である。弾力性不織布を用いると、固定紐２は柔軟、軽量、高弾性という特徴を備え、固定紐２の幅を広げたことで、マスクの着用時の快適性が向上し、着用時の耳部の不快感が緩和され、耳部を保護する効果を得る。固定紐２が２つ設けられ、それぞれ本体１の２つの短辺に、片方に１つずつ接続される。第１形状保持テープ３は本体１の上側の長辺の近くに水平に設けられ、ノーズフィットとしての役割を果たす。いくつかの実施形態では、第１形状保持テープ３は塑性金属又はプラスチック（例えば、アルミテープ、塑性ＰＰ、塑性ＰＥ等）からなる。第２形状保持テープ４は本体１の中部に水平に設けられ、例えば、塑性金属又はプラスチックからなる。
【００３４】
図２が参照されるとおり、固定紐２は両端に位置する２つの第１パーツ２１と、中部に位置する第３パーツ２３と、第１パーツ２１と第３パーツ２３との間に位置する２つの第２パーツ２２とを含む。具体的には、第３パーツ２３の両端にそれぞれ１つの第２パーツ２２が接続され、各第２パーツ２２の第３パーツ２３から遠い方の一端に１つの第１パーツ２１が接続される。
【００３５】
図２、図３が参照されるとおり、マスクを使用しない時は、固定紐２は折り畳まれた状態であり、第２パーツ２２の内面（本体１に近い方の側は内面）は対応する第１パーツ２１の内面に密着され、第２パーツ２２の外面（本体１から遠い側は外面）は第３パーツ２３の外面に完全に密着される。また、第１パーツ２１、第２パーツ２２及び第３パーツ２３の側縁がホットメルトによって接続されることで、折り畳まれた状態が保たれる。製造方法の一具体例は次のとおりである。第１パーツ２１、第２パーツ２２及び第３パーツ２３の位置に対応して弾力性不織布を折り畳み、熱間切断によってテープ状に切断すると、折り畳まれた状態の固定紐２を得、第１パーツ２１、第２パーツ２２及び第３パーツ２３の側縁が接続される。
【００３６】
固定紐２を折り畳まれた状態で設けると、マスクを使用しない時は固定紐２は全体の長さが短縮され、本体１に収められる。従来のマスクと比べて、本考案のマスクは構造がよりコンパクトで、固定紐２が物体に引っかかりにくいため、マスクを整理及び収納しやすい。使用時は、第１パーツ２１、第２パーツ２２及び第３パーツ２３はホットメルトによって接続されるのが側縁のみであるため、展開させるだけで固定紐２の全体の長さを増やすことができ、使いやすい。
【００３７】
図２が参照されるとおり、第２パーツ２２の外面で第１パーツ２１に近い場所に第１接続構造２４１が設けられ、第３パーツ２３の外面には第１接続構造２４１に接続可能な第２接続構造２４２が設けられる。具体的には、第１接続構造２４１は面ファスナーのフック面であり、第２接続構造２４２は面ファスナーのループ面である。第１接続構造２４１と第２接続構造２４２を接続させることで、第１パーツ２１、第２パーツ２２及び第３パーツ２３がより安定的に折り畳まれる。マスクを使用する時、第１パーツ２１、第２パーツ２２及び第３パーツ２３の側縁がホットメルトによって固定された状態が取り消されても、第１接続構造２４１と第２接続構造２４２を接続させて固定紐２が再び折り畳まれた状態に戻るため、繰り返し使用が可能である。
【００３８】
図２、図４が参照されるとおり、各固定紐２の両端はそれぞれ本体１の対応する側縁の上側及び下側のコーナーに固着される。具体的には、固定紐２の第１パーツ２１の自由端が封止下のホットメルトによって本体１に固着されて接続領域２１１が形成される。第１パーツ２１の本体（接続領域２１１を含まない第１パーツ２１の部分）には弾力性接続層２５がさらに設けられ、弾力性接続層２５は接続領域２１１に延伸して接続領域２１１と第１パーツ２１の本体とが接続する位置をカバーする。使用中に応力の集中により、固定紐２で最も破断しやすい場所は接続領域２１１と第１パーツ２１の本体が接続する位置である。弾力性接続層２５で当該部分をカバーすると、引張力を分散し、応力の集中を緩和し、固定紐２の破断の可能性を低減することができる。弾力性接続層２５は弾性シリカゲルからなり、ホットメルト接着剤によって第１パーツ２１に設けられる。
【００３９】
図２、図４が参照されるとおり、第１パーツ２１の本体の外面で弾力性接続層２５に近い場合に第３接続構造２６１が設けられる。対応する接続領域２１１の外面には第３接続構造２６１に係合する第４接続構造２６２が設けられ、第３接続構造２６１と第４接続構造２６２が互いに接続されることが可能である。具体的には、第３接続構造２６１は面ファスナーのループ面であり、第４接続構造２６２は面ファスナーのフック面であり、面ファスナーを用いると簡単に接続できる。接続領域２１１で固定紐２と第１パーツ２１の本体が接続する場所が破断した場合に、第３接続構造２６１と第４接続構造２６２を接続させれば、第１パーツ２１の本体と接続領域２１１の接続が直るため、その場しのぎの対応として、マスクを一時的に使用することができる。第３接続構造２６１が第１パーツ２１の本体の外面に設けられ、マスクを着用する時は、第３接続構造２６１が顔に接触することが避けられる。
【００４０】
図２が参照されるとおり、固定紐２の引張強度をさらに高めるために、固定紐２の外面に弾性テープ２７が設けられる。弾性テープ２７は弾性シリカゲルからなり、ホットメルト接着剤によって固定紐２に接続されてもよい。弾性テープ２７は２つで固定紐２の外面に対称に設けられ、いずれも固定紐２の第１パーツ２１、第２パーツ２２及び第３パーツ２３を通過する。
【００４１】
図１が参照されるとおり、本体１は伝音用にその中部に水平に設けられる無孔構造領域１１と、通気用に無孔構造領域１１の上側及び下側に設けられる多孔構造領域１２とを含む。
【００４２】
図１が参照されるとおり、無孔構造領域１１１は封止下のホットメルトで成形された２層のＰＰ不織布からなり、２層の不織布の四周は封止下のホットメルトで接続され、その間の空間内に第２形状保持テープ４が設けられる。封止下のホットメルトにより、ＰＰ繊維の細孔が高温下で溶解して互いに接続されると、構造がより緻密な無孔構造を得る。音を吸収する細孔がないため、より効果的に伝音でき、マスクの吸音で利用者の声が小さくなる欠点は緩和される。
【００４３】
図５が参照されるとおり、多孔構造領域１２は多層の布構造であり、外側から内側に（人体に近い方は内側）外不織布層１２１と、間隔を開けて設けられる複数層のポリプロピレンフィルム１２２及び複数層のメルトブローン不織布層１２３と、相転移材料綿布層１２５と、抑菌綿布層１２６と、内不織布層１２４とをこの順に含む。いくつかの実施形態では、ポリプロピレンフィルム１２２は３層、メルトブローン不織布層１２３は２層とし、ポリプロピレンフィルム１２２とメルトブローン不織布層１２３は間隔を開けてサンドイッチのような構造として設けられる。具体的には、１層のポリプロピレンフィルム１２２は外不織布層１２１に密着され、１層のポリプロピレンフィルム１２２は相転移材料綿布層１２５に密着され、２層のメルトブローン不織布層１２３は他のポリプロピレンフィルム１２２を間に挟む。前記複数の布層はいずれも人体と環境に害のない材料を使用するため、一層の環境配慮がなされ、安全性が高められ、一層無毒で無害になる。
【００４４】
図５が参照されるとおり、ポリプロピレンフィルム１２２は不織布を使用して封止下のホットメルトによって成形され、構造が緻密で、通気性が優れない。ポリプロピレンフィルム１２２には複数の貫通孔１２２１が均一に設けられ、隣接する２層のポリプロピレンフィルム１２２では貫通孔１２２１が互い違いに設けられる。メルトブローン不織布層１２３の主な原料はポリプロピレンであり、多くの空隙を含み、構造が緩いなどの特徴があるため、粒子状汚染物質を効果的に濾過し吸着することで、人体に迫る汚染物質を止めることができる。ポリプロピレンフィルム１２２とメルトブローン不織布層１２３が間隔を開けて設けられることと、隣接する２層のポリプロピレンフィルム１２２で貫通孔１２２１が互い違いに設けられることの有益な効果は、外部の空気が当該領域を流れると、貫通孔１２２１からポリプロピレンフィルム１２２を通ってメルトブローン不織布層１２３に入り、２層のポリプロピレンフィルム１２２で貫通孔１２２１が互い違いに設けられるため、空気が直線経路でメルトブローン不織布層１２３の他側のポリプロピレンフィルム１２２を通ることができず、一旦方向を変えて折れ線経路で他側のポリプロピレンフィルム１２２の貫通孔１２２１を通る。このようにして、空気の移動経路が長くなり、空気とメルトブローン不織布層１２３との接触が増えることで、メルトブローン不織布層１２３による空気中の汚染物質の濾過効果が向上する。空気が貫通孔１２２１を通る時に圧縮され、メルトブローン不織布層１２３に入った後、空気が膨張するため、圧縮と膨張の繰り返しによって汚染物質が空気から分離しやすくなる。
【００４５】
相転移材料綿布層１２５はマイクロカプセル固液相転移材料が付着した棉布である。体表又は周囲環境の温度が高い場合には、熱が相転移材料綿布層１２５に伝わり、その温度が上がって内部の固液相転移材料の転移点を超える。相転移材料に固液相転移が起きて熱を吸収し、熱を蓄える。周囲環境又は体表の温度が低い場合には、相転移材料綿布層１２５の相転移材料が液体状態から固体状態に変わり放熱し、顔を暖め、利用者に快適感を与える。マイクロカプセルによって相転移材料を封止すると、固液相転移材料に相転移が起きる間に漏洩の問題はなく、相転移材料の損失が減る。
【００４６】
本実施例では、固液相転移材料としてドデカノールを使用する。マイクロカプセル固液相転移材料の製造方法は次のとおりである。
（１）４５℃水浴で、１７．５５ｋｇのドデカノール、壁材モノマーとして４．３５ｋｇのトルエン−２，４−ジイソシアナートを１７．５５ｋｇのシクロヘキサンに加え、均一に攪拌する。
（２）４５℃水浴で、２ｇのＯＰ−１０を溶解した１００ｇの純水に前記溶液を加えて、Ｏ／Ｗエマルジョンを得る。
（３）水浴温度は４５℃、攪拌速度は毎分５００回転の条件で、前記Ｏ／Ｗエマルジョンに壁材モノマーとして１５ｋｇのエチレンジアミンの水溶液（含有量１０ｗｔ％）を１時間で滴加する。次に、水浴温度を６５℃に上げ、壁材モノマーの反応によってマイクロカプセル被覆層を得る。
（４）２時間反応した後、攪拌を停止する。生成物の後処理でマイクロカプセル相転移材料を得る。
【００４７】
相転移材料綿布層１２５の製造方法は次のとおりである。
（１）２０ｋｇのマイクロカプセル相転移材料を秤量して８０ｋｇの純水に加え、均一に攪拌して、処理液を得る。
（２）１０ｋｇの棉布（経緯密度１９０Ｔ）を１００ｋｇの処理液に入れ、１．５気圧下で９０分間浸漬する。棉布を取り出して６０℃の熱風に当たって乾燥する。
【００４８】
抑菌綿布層１２６は銀ナノ粒子が付着した棉布であり、滅菌・抑菌の機能を果たす。その製造方法は具体的には次のとおりである。
（１）銀ナノコロイド８０ｋｇ、２００メッシュのグアーガム１．５ｋｇ及び純水７０ｋｇを秤量して均一に混合して、抑菌処理液を得る。
（２）１０ｋｇの棉布（経緯密度１９０Ｔ）を１２０ｋｇの３５℃の処理液に入れ、常圧下で３時間浸漬する。これを取り出して、スクイズロールにおいて１ｋｇの圧力で３回押圧し、処理液の保持率は７０〜８０％とする。５０℃の熱風に当たって棉布を乾燥する。
【００４９】
ここで、銀ナノ粒子の製造方法は次のとおりである。
５０ｍＬの硝酸銀水溶液（０．１Ｍ）及び５０ｍＬのＬ−グルコース水溶液（０．１Ｍ）を秤量し、３０分間で２００ｍＬの４０℃カルボキシメチルキトサン水溶液（０．３ｗｔ％）に滴加し、毎分１００回転の速度で攪拌する。同じ温度と攪拌速度で、引き続き均一に攪拌して混合溶液を得る。炭酸水素ナトリウムで混合溶液のｐＨを９に調整する。同じ温度と回転速度で、引き続き２４時間攪拌する。蒸発・濃縮して０．８ｗｔ％の銀ナノコロイドを得る。
【００５０】
多孔構造領域１２の多層の布構造において、外不織布層１２１、内不織布層１２４、ポリプロピレンフィルム１２２及びメルトブローン不織布層１２３はホットプレスによって接続されてもよく、相転移材料綿布層１２５及び抑菌綿布層１２６は縫合で内不織布層１２４に接続されてもよい。
【００５１】
図１、図２が参照されるとおり、２つの多孔構造領域１２はいずれも折り目が本体１の長辺に平行の積層構造に折り畳まれ、当該構造の両端がホットプレスによって固定される。折り畳み構造を広げる時は、その両端が固定されるため、本体１が前方に起き上がって本体１の中部を頂点とするアーチを形成する。第２形状保持テープ４は、本体１が起き上がると変形して支持体としての役割を果たす。このようにして、本体１と、口、鼻との間に安定的な空間が形成され、呼吸がしやすい。
【００５２】
図１が参照されるとおり、第１形状保持テープ３は上側に位置する多孔構造領域１２の上端に、且つ外不織布層１２１とポリプロピレンフィルム１２２との間に水平に設けられ、ホットプレスによって固定される。
【００５３】
本体１の製造手順は次のとおりである。
（１）外不織布層１２１、内不織布層１２４の中部で、封止下のホットメルトによる成形で細孔を閉める。
（２）内不織布層１２４の中部の封止下ホットメルトされた領域に、水平に第２形状保持テープ４を設ける。
（３）第２形状保持テープ４の両側で内不織布層１２４の封止下のホットメルトを施さない領域にそれぞれ抑菌綿布層１２６、相転移材料綿布層１２５をこの順に縫製する。後にホットプレスを行うために、内不織布層１２４の２つの短辺及び第２形状保持テープ４から遠い方の長辺にギャップを残す。
（４）相転移材料綿布層１２５に、間隔を開けて３層のポリプロピレンフィルム１２２及び２層のメルトブローン不織布層１２３をセットする。
（５）第１形状保持テープ３をセットし、その上に外不織布層１２１を付与する。
（６）複数層の布を折り畳んで積層構造にし、ホットプレスで複数層の布の四周を接続させ、第１形状保持テープ３及び第２形状保持テープ４の周囲をそれぞれホットプレスで接続させて、本体１を得る。
【００５４】
（比較例１）
本比較例は、第１パーツ２１の本体に弾力性接続層２５を設けないことを除き、実施例１と同じである。
【００５５】
（比較例２）
本比較例は、固定紐２の外面に弾性テープ２７を設けることを除き、実施例１と同じである。
【００５６】
（比較例３）
本比較例は、本体１内にポリプロピレンフィルム１２２を設けないことを除き、実施例１と同じである。
【００５７】
性能試験：
１．マスクの固定紐の引張強度試験：
実施例及び比較例１、比較例２のマスクで引張強度試験を行う。
参照基準：ＧＢ／Ｔ  ３２６１０−２０１６。
試験温度：２５℃。
延伸速度：１００ｍｍ／ｍｉｎ。
【００５８】
結果は表１に示すとおりである。
0003231882.tif 000003
【００５９】
表１から分かるように、本試験は固定紐２の引張強度に対する弾力性接続層２５及び弾性テープ２７の影響を比較分析した。結果から分かるように、弾力性接続層２５を設けたマスクは、設けないマスクより固定紐２の本体と接続領域２１１との境界での引張強度が明らかに高い。これは弾力性接続層２５を設けると引張力を分散し、応力の集中を緩和するためである。また、弾性テープ２７を設けたマスクは、設けないマスクより固定紐２の本体の引張強度が明らかに高いことから、弾性テープ２７を設けると固定紐２の引張強度を高められることを示す。
【００６０】
２．マスク保護性能試験：
実施例及び比較例３のマスクで保護性能試験を行う。
参照基準：ＧＢ／Ｔ  ３２６１０−２０１６。
試験条件：温度２５℃、湿度３５％。
頭サイズ：中サイズ。
試験物質：粒子状ＮａＣｌ。
粒子状物質の初期濃度：２５ｍｇ／ｍ３。
サンプリング時のガス流速：２Ｌ／ｍｉｎ。
サンプリング頻度：２回／ｍｉｎ。
【００６１】
検出結果は表２に示すとおりである。
【００６２】
３．マスク吸気抵抗、呼気抵抗試験：
参照基準：ＧＢ／Ｔ  ３２６１０−２０１６。
通気量：８５Ｌ／ｍｉｎ。
頭サイズ：中サイズ。
抽気ポンプの吸気量：１００Ｌ／ｍｉｎ。
【００６３】
検出結果は表２に示すとおりである。
0003231882.tif 000004
【００６４】
表２から分かるように、実施例と比較例３の比較で、マスクの性能に対するポリプロピレンフィルム１２２及びメルトブローン不織布層１２３の構造の影響を研究する。結果から分かるように、実施例のマスクの方が比較例３のマスクより保護効果が明らかに優れる。また、吸気抵抗と呼気抵抗の低減がさほど明らかでないため、プロピレンフィルム１２２及びメルトブローン不織布層１２３を設けると、メルトブローン不織布層１２３がより効果的に汚染物質を吸着しながら、空気の流通に明らかな影響はない。
【００６５】
４．相転移材料布の保温性能試験：
実施例で使用するマイクロカプセル固液相転移材料が付着した棉布（１９０Ｔ）とブランク棉布で保温性能試験を行う。
参照基準：ＧＢ／Ｔ  １１０４８−１９８９、方法Ａ。
試験条件：標準大気温度２０℃、相対湿度６５％。
ホットプレート温度：２５℃。
試料サイズ：３０ｃｍ×３０ｃｍ。
【００６６】
検出結果は表３に示すとおりである。
0003231882.tif 000005
【００６７】
表３の試験データから分かるように、マイクロカプセル固液相転移材料が付着した棉布の方が保温性能より優れるため、マスクにより優れた保温機能が付与される。これは相転移材料がエネルギー貯蔵及び調温の機能を備えるためである。
【００６８】
５．抑菌布の抗菌性能試験：
実施例で使用する銀ナノ粒子が付着した棉布（１９０Ｔ）とブランク棉布で抗菌性能試験を行う。
細菌液の調製：
（１）培地：栄養ブロス、栄養寒天。
試験菌種：大腸菌（Ｅｓｃｈｅｒｉｃｈｉａ  ｃｏｌｉ（８０９９））、グラム陰性。
黄色ブドウ球菌（Ｓｔａｐｈｙｌｏｃｏｃｃｕｓ  ａｕｒｅｕｓ（ＡＴＣＣ  ６５３８））、グラム陽性。
（２）接種用ループで保存菌株を取得し、栄養寒天シャーレに線条接種し、３７℃±１℃で２４時間培養する。
（３）典型なコロニーをピッキングして２０ｍＬの栄養ブロスに接種し、３７℃±１℃で１１０ｍｉｎ−１の振動周波数で、２４時間培養する。
（４）滅菌蒸留水で栄養ブロスを２０倍希釈し、培養後の細菌濃度を１×１０８ＣＦＵ／ｍＬ〜５×１０８ＣＦＵ／ｍＬに調整し、試験菌液とする。
【００６９】
抑菌試験：
（１）下層培地を製作する。栄養寒天は１０ｍＬ／シャーレである。
（２）上層培地を製作する。１ｍＬの試験菌液に１５０ｍＬの栄養寒天培地を加え、均一に混合し、（１）の各シャーレに５ｍＬを注入し、凝固するまで静置する。
（３）ナノ銀が付着した棉布及びブランク棉布からそれぞれ直径ｄ＝２５ｍｍ±５ｍｍの円形をカットして試料とする。
（４）試料と寒天培地がよく接触するように、滅菌鉗子を用いて試料をシャーレの中央に貼り付ける。
（５）３７℃±１℃で、シャーレで２４時間培養する。
（６）各試料の周囲での阻止円の形成の有無を観察し、幅を測定する。
【００７０】
検出結果は表４に示すとおりである。
0003231882.tif 000006
【００７１】
表４の試験データから分かるように、銀ナノ粒子が付着した棉布では細菌培養後にいずれも周囲に阻止円が形成された。大腸菌阻止円の幅が１３．８ｍｍ、黄色ブドウ球菌阻止円の幅が１８．１ｍｍと優れた抗菌性能が認められる。ブランク試料では阻止円が形成されず、抗菌性能が劣っている。銀ナノ粒子が付着した棉布が、マスクの抗菌性能を高め、抑菌機能を付与することができる。
【００７２】
上述したのが本考案の好ましい実施例であり、本考案の保護範囲がこれに限定されない。本考案に基づいて構造、形状、原理に同等な変形を行うものが、いずれも本考案の保護範囲に含まれる。
【符号の説明】
【００７３】
１...本体、１１...無孔構造領域、１２...多孔構造領域、１２１...外不織布層、１２２...ポリプロピレンフィルム、１２２１...貫通孔、１２３...メルトブローン不織布層、１２４...内不織布層、１２５...相転移材料綿布層、１２６...抑菌綿布層、２...固定紐、２１...第１パーツ、２１１...接続領域、２２...第２パーツ、２３...第３パーツ、２４１...第１接続構造、２４２...第２接続構造、２５...弾力性接続層、２６１...第３接続構造、２６２...第４接続構造、２７...弾性テープ、３...第１形状保持テープ、４...第２形状保持テープ。
【図１】
0003231882.tif 000007
【図２】
0003231882.tif 000008
【図３】
0003231882.tif 000009
【図４】
0003231882.tif 000010
【図５】
0003231882.tif 000011
【手続補正書】
【提出日】令和3年3月4日(2021.3.4)
【手続補正１】
【補正対象書類名】実用新案登録請求の範囲
【補正対象項目名】全文
【補正方法】変更
【補正の内容】
【実用新案登録請求の範囲】
【請求項１】
本体（１）と、本体（１）に接続された固定紐（２）とを含み、前記固定紐（２）は、折り畳まれるように、ホットメルトによって本体（１）に固定される、ことを特徴とする使いやすいマスク。
【請求項２】
第１形状保持テープ（３）と、第２形状保持テープ（４）とをさらに含み、前記第１形状保持テープ（３）は本体（１）の上側に設けられ、前記第２形状保持テープ（４）は本体（１）の中部に設けられることを特徴とする請求項１に記載の使いやすいマスク。
【請求項３】
固定紐（２）は弾力性の不織布テープであり、両端に位置する２つの第１パーツ（２１）と、中部に位置する第３パーツ（２３）と、第１パーツ（２１）と第３パーツ（２３）との間に位置する２つの第２パーツ（２２）とを含み、
前記固定紐（２）が折り畳まれた時、前記第２パーツ（２２）の内面は対応する第１パーツ（２１）の内面に密着され、第２パーツ（２２）の外面は第３パーツ（２３）の外面に密着され、
前記固定紐（２）の幅は０．５ｃｍより大きいことを特徴とする請求項１又は２に記載の使いやすいマスク。
【請求項４】
前記第２パーツ（２２）の外面で第１パーツ（２１）に近い場所に第１接続構造（２４１）が設けられ、前記第３パーツ（２３）の外面には第１接続構造（２４１）に接続可能な第２接続構造（２４２）が設けられることを特徴とする請求項３に記載の使いやすいマスク。
【請求項５】
前記第１パーツ（２１）の自由端が本体（１）に接続されて接続領域（２１１）が形成され、前記第１パーツ（２１）には弾力性接続層（２５）がさらに設けられ、前記弾力性接続層（２５）は接続領域（２１１）に延伸していることを特徴とする請求項３に記載の使いやすいマスク。
【請求項６】
前記第１パーツ（２１）の外面に第３接続構造（２６１）が設けられ、前記第３接続構造（２６１）は弾力性接続層（２５）の近くに位置し、前記接続領域（２１１）の外面には第３接続構造（２６１）に係合する第４接続構造（２６２）が設けられることを特徴とする請求項５に記載の使いやすいマスク。
【請求項７】
前記固定紐（２）の外面には弾性テープ（２７）がさらに設けられることを特徴とする請求項３に記載の使いやすいマスク。
【請求項８】
前記本体（１）は伝音用にその中部に設けられる無孔構造領域（１１）と、通気用に前記無孔構造領域（１１）の周囲に設けられる多孔構造領域（１２）とを含むことを特徴とする請求項１又は２に記載の使いやすいマスク。
【請求項９】
前記無孔構造領域（１１）は封止下の不織布のホットメルトによって形成され、前記多孔構造領域（１２）は多層の布構造であり、最も外側に位置する外不織布層（１２１）と、最も内側に位置する内不織布層（１２４）と、間隔を開けて両者の間に設けられる複数層のポリプロピレンフィルム（１２２）及び複数層のメルトブローン不織布層（１２３）とを含み、前記ポリプロピレンフィルム（１２２）は熱間押出によって成形され、その上に複数の貫通孔（１２２１）が開設され、隣接する２つのポリプロピレンフィルム（１２２）では貫通孔（１２２１）が互い違いに設けられることを特徴とする請求項８に記載の使いやすいマスク。
【請求項１０】
前記多孔構造領域（１２）内には相転移材料綿布層（１２５）及び抑菌綿布層（１２６）がさらに設けられることを特徴とする請求項９に記載の使いやすいマスク。